(57)【特許請求の範囲】
【請求項１】
第１スピンドル（１４）に回転自在に取り付けられたローラー（１６）が配置された横方向空間（４１）を境界付ける一対の第１及び第２のフランジ（１２、２８）、
ロープ（５６）を案内するために前記ローラー（１６）に設けられた溝（２４）、
前記第２フランジ（２８）を第１スピンドル（１４）に関節連結し、前記ロープ（５６）を前記空間（４１）内に捕捉された状態に保持する閉鎖位置と前記ロープを前記ローラー（１６）に装着するための開放位置との間で前記フランジが相対移動できるようにする手段、及び
前記空間（４１）に組み込んだジャマー（２１）であって、前記ロープ（５６）の作用係止位置と非作用非係止位置との間で第２スピンドル（１８）に関節連結された可動タンブラー（２０）を有するジャマー（２１）、を備えたプーリ（１０）において、
前記第２スピンドル（１８）は、管状であり且つ前記第１スピンドル（１４）と平行に延び、前記第２フランジが前記閉鎖位置近くの位置に到達したとき、スナップ−フック（５８）を前記タンブラー（２０）の関節連結部を通して取り付けることができると同時に前記閉鎖位置において前記第２フランジ（２８）を結果的に係止するように前記第２フランジ（２８）の相補的穴（５２）と整合するように設計された内部オリフィス（５０）を有する、ことを特徴とするプーリ。
【請求項２】
前記ジャマー（２１）の前記第２スピンドル（１８）は、前記第１フランジ（１２）からオーバーハングするように取り付けられており、前記タンブラー（２０）を軸線方向に位置決めするための第１手段及び前記閉鎖位置において前記第２フランジ（２８）と係合するための第２手段を有する、ことを特徴とする請求項１に記載のプーリ。
【請求項３】
前記タンブラー（２０）を前記空間（４１）内に位置決めするための前記第１手段は、前記第２フランジ（２８）に面する前記第２スピンドル（１８）の端部（４４）の近くに配置されたストップ（４６）によって形成されている、ことを特徴とする請求項２に記載のプーリ。
【請求項４】
前記第２フランジ（２８）と係合するための前記第２手段は、前記ストップ（４６）から外方に突出しており且つ前記第２スピンドル（１８）の前記オリフィス（５０）と同軸に配置された環状縁部（４８）によって形成されている、ことを特徴とする請求項３に記載のプーリ。
【請求項５】
前記第２フランジ（２８）を前記第１スピンドル（１４）に関節連結するための前記手段は、前記第２フランジ（２８）を閉鎖する際に前記第２スピンドル（１８）から遠ざかる移動及び前記第２スピンドル（１８）に向かう移動の両方向の移動を可能にするように構成されている、ことを特徴とする請求項２に記載のプーリ。
【請求項６】
シール（３２）が、前記空間（４１）の外側で前記第２フランジ（２８）の環状溝（３４）内で前記第１スピンドル（１４）に装着されており、前記シール（３２）は、ワッシャ（３６）と協働し、前記第２フランジ（２８）を前記第１スピンドル（１４）の内部肩部（３０）に押し付け、前記シール（３２）を変形させることによってこのフランジを前記閉鎖位置近くに係止させることができる、ことを特徴とする請求項５に記載のプーリ。
【請求項７】
回転ローラー（１６）が、ベアリング手段、特に自己給油形ベアリング（２２）又はボールベアリングを介して前記第１固定スピンドル（１４）に取り付けられている、ことを特徴とする請求項６に記載のプーリ。
【請求項８】
前記可動タンブラー（２０）は、前記ジャマー（２１）の作用をなくすように前記タンブラー（２０）を非作用非係止位置に係止するための作動手段を有する、ことを特徴とする請求項１に記載のプーリ。
【請求項９】
前記可動タンブラー（２０）は、前記作動手段の作動後、前記ジャマー（２１）を作用係止位置に付勢する戻しばね（５５）と協働する、ことを特徴とする請求項８に記載のプーリ。
【請求項１０】
前記作動手段は、前記タンブラー（２０）のスピンドル（６２）に関節連結されたレバー（６０）を有し、このレバーは、ジャミング面（２８）が前記ロープ（５６）と接触した状態に移行しない開放位置に前記タンブラー（２０）があるとき、前記フランジ（１２、２８）のベアリング面（６４）と協働するように設計されたアングル形状を有する、ことを特徴とする請求項８に記載のプーリ。
【発明の詳細な説明】
【０００１】
【発明の属する技術分野】
本発明は、第１スピンドルに回転自在に取り付けられたローラーが配置された横方向空間を境界付ける一対の第１及び第２のフランジ、ロープを案内するためにローラーに設けられた溝、及び第２フランジを第１スピンドルに関節連結し、ロープを空間内に捕捉された状態に保持する閉鎖位置とロープをローラーに装着するための開放位置との間でフランジが相対移動できるようにする手段とを有する、プーリに関する。
【０００２】
【従来の技術】
持ち上げタックル、巻き上げブロック、カウンタギヤ等の巻き上げ装置、及びチロリアンリフトのような水平方向前進装置を得るため、簡単な揺動フランジプーリが従来の方法で使用されている。プーリのスピンドルには、回転ローラーが回転自在に取り付けられている。安全策を講じる目的で装置に戻り防止機能を組み込まなければならない場合には、操作力がなくなったときにロープを拘束するように設計されたジャマーをプーリと関連させることが必須である。ジャマーは、連結スナップ−フックによってプーリに接合された別個の装置によって形成される。アッセンブリは、この場合、全体に大型になり、ロープを二つの装置に直列に通す必要がある。
【０００３】
【発明が解決しようとする課題】
本発明の目的は、枢動フランジ（ピボットフランジ）及び信頼性のある戻り防止装置を備えた小型プーリを提供することである。
【０００４】
【課題を解決するための手段】
本発明によるプーリには、空間に組み込んだジャマーが更に設けられており、ロープの作用係止位置と非作用非係止位置との間で第２スピンドルに関節連結された可動タンブラーを有し、第２スピンドルは管状であり且つ第１スピンドルと平行に延び、第２フランジが閉鎖位置近くの所定位置に到達したとき、スナップ−フックをタンブラーの関節連結部を通して取り付けることができると同時に閉鎖位置において第２フランジを結果的に係止するように第２フランジの相補的穴と整合するように設計された内部オリフィスを構成する。
【０００５】
アタッチメントスナップ−フックをジャマーの関節連結スピンドルに通して取り付けることにより、プーリを小型化すると同時に安全性を保証する。これは、格納式のフランジが閉鎖位置に積極的に係止したままであり、ロープが抜けないようにするためである。
【０００６】
本発明の一つの特徴によれば、ジャマーの第２スピンドルは、第１フランジからオーバーハング（突出）するように取り付けられており、タンブラーを軸線方向に位置決めするための第１手段及び閉鎖位置において第２フランジと係合するための第２手段を有する。タンブラーを空間内に位置決めするための第１手段は、第２フランジに面する第２スピンドルの端部の近くに配置されたストップによって形成される。第２フランジと係合するための第２手段は、ストップから外方に突出しており且つ第２スピンドルのオリフィスと同軸に配置された環状縁部によって形成されている。
【０００７】
本発明の好ましい実施形態によれば、第２フランジを第１スピンドルに関節連結するための手段は、第２フランジを閉鎖する際に第２スピンドルから遠ざかる移動及び第２スピンドルに向かう移動の両方向の移動を可能にするように構成されている。
【０００８】
可動タンブラーは、有利には、ジャマーの作用をなくすようにタンブラーを非作用非係止位置に係止するための作動手段を有する。この場合、装置の使用は、ジャマーを備えていない単なるプーリとしての使用となる。
【０００９】
他の利点及び特徴は、添付図面に示す単なる非限定的例である本発明の実施形態の以下の説明から更に明らかになるであろう。
【００１０】
【発明の実施の形態】
図１乃至図４を参照すると、全体に参照番号１０付したプーリの第１固定フランジ１２は、回転ローラー１６の第１スピンドル１４、及び組み込み式ジャマー２１を構成する係止タンブラー２０の第２スピンドル１８用の支持体として作用する。二つのスピンドル１４、１８は固定されており、固定フランジ１２に対して垂直に互いに平行に伸びている。ローラー１６は、自己給油形ベアリング２２を介して第１スピンドル１４に回転自在に取り付けられている。ベアリング２２は、当然のことながら、ベアリングの作用をなす他の部品に代えることができる。
【００１１】
回転ローラー１６には、ロープを案内するための環状谷状部分即ち環状溝２４が設けられている。ロープは、タンブラー２０のジャミング面２６が作用位置にあるとき、これと係止できる。第２可動フランジ２８が、閉鎖位置（図１参照）と開放位置（図９参照）との間で回転するように第１スピンドル１４の端部に設けられている。第２フランジ２８は、可撓性Ｏ−リングシール３２の作用で第１スピンドル１４の肩部３０に押し付けられている。Ｏ−リングシール３２は、フランジ２８の環状溝３４内に配置されており、第１スピンドル１４に固定的に取り付けられた外部ワッシャ３６によってシールされている。シール３２は、当然のことながら、簡単な可撓性波形ワッシャに代えることができる。
【００１２】
肩部３０は、ローラー１６に関する可動フランジ２８の回転移動を妨げないように、フランジ２８とベアリング２２との間に軸線方向隙間を形成するようにベアリング２２の前面から僅かに外方に突出している。フランジ１２、２８、及びローラー１６はアルミニウム製であり、これに対し、タンブラー２０は鋼製である。ジャミング面２６には、作用位置にあるときにロープを停止するように設計された複数の棘状保持手段３８及びロープからの泥や氷を排出するための中央スリット４０が設けられている。ロープ１６及びジャマー２１は、両方とも、二つのフランジ１２、２８間に構成された横方向空間４１内に配置される。
【００１３】
タンブラー２０の第２スピンドル１８は管状であり、第１スピンドル１４の上方でオーバーハングしている。一方の端部４２が第１フランジ１２にクリンプ止めされており、これに対し、反対端４４には、第２フランジ２８を閉鎖位置に移動したときにタンブラー２０の本体を軸線方向に位置決めするためのストップ４６及び第２フランジ２８の係合縁部４８が設けられている。第２スピンドル１８の内部オリフィス５０は円形断面であり、アタッチメントのスナップ−フックをこれに通すことができる。
【００１４】
第２フランジ２８を環状係合縁部４８と嵌合させることができる。これは、可動第２フランジ２８の自由端に円形の穴５２が設けられているためである。穴の内径は、係合縁部４８の外径よりも僅かに大きい。
【００１５】
溝３４内にシール３２が設けられているため、第１スピンドル１４を中心とした第２フランジ２８の回転移動の摩擦により、制動を或る程度行うことができ、更に、第２フランジ２８を閉鎖位置近くに向かって僅かに交互に揺動できる。この揺動は、第１スピンドル１４を中心として行われ、シール３２（図３参照）が交互に変形することによって、穴５２をオリフィス５０と整合させるために矢印Ｆ１の分離方向に移動でき、第２スピンドル１８の係合縁部４８に穴５２を挿入するため、矢印Ｆ２が示す反対方向に移動してこれらを互いに閉鎖することができる。
【００１６】
係止タンブラー２０の本体には、タンブラー２０を非作用位置に係止するためにスナップ−フックを通すことができるパドロック開口部５４が設けられている。開口部５４からスナップ−フックを取り外した後、戻しばね５５がタンブラー２０を作用係止位置に押圧する。ばねは、タンブラー２０の本体のノッチに挿入した捩じりコイルばねによって形成される。
【００１７】
空間４１内にロープがない場合には、タンブラー２０はローラー１６が形成するストップに押し付けられている。分離位置では、タンブラー２０のリブがフランジ２８の停止スピゴットに当たる。
【００１８】
ロープ５６は、可動フランジ２８を予め開放位置（図４参照）まで下げ、これに続いてタンブラー２０を非作用位置（図５参照）まで移動することによってロープ５６をローラー１６の溝２４に挿入できるようにした後、プーリ１０に挿入される。
【００１９】
図６は、戻り防止案内プーリの第１用途を示す。この図では、図面の明瞭化を図る目的で可動フランジ２８は示してない。ロープ５６はローラー１６上の所定位置に装着されており、ジャミング面２６がロープ５６と接触し、ばね５５の戻り作用を受けている。ロープ５６の右側ストランドに十分な力Ｆが加えられている場合には、タンブラーが矢印Ｄで示す係止解除方向に駆動されるため、左側ストランドによって重量Ｍを持ち上げることができる。タンブラー２０を反時計廻り方向に枢動（ピボット）させることによる係止解除は、ローラー１６が時計周り方向に回転しているときにロープ５６が表面２６の棘状部材に及ぼす摩擦により行われる。力Ｆがなくなると、戻り防止ジャマー２１の抵抗作用により、ジャミング面２６がロープ５６に大きな圧力を及ぼす作用位置にタンブラー２０が自動的に反対方向に戻るため、重量Ｍは落下しない。
【００２０】
可動第２フランジ２８の閉鎖を図７、図８、及び図９に示す。これらの図には、ロープ５６は示してない。図７では、先ず最初に、第１スピンドル１４を中心として可動フランジ２８を方向Ｆ３に回し、閉鎖移動の終わりに方向Ｆ１に僅かに分離方向に移動し、中空第２スピンドル１８の係合縁部４８上に通すことができるようにする。
【００２１】
図８は図３と対応し、可動フランジ２８の次の再閉鎖工程を示す。この工程では、穴５２がオリフィス５０と整合し、第２フランジ２８の縁部４８に係合させる準備ができる。
【００２２】
図９は、第２フランジ２８がジャマー２１のタンブラー２０の関節連結部と係合した、第２フランジ２８の最終閉鎖状態を示す。第２フランジ２８の穴５２は、第２スピンドル１８の縁部４８用の支持体として作用し、これによってタンブラー２０のオーバーハング作動を回避する。
【００２３】
図１０は、タンブラー２０がフリーであるか或いは拘束されているかのいずれかで決まる、プーリ１０の二つの使用態様を示す。アタッチメントスナップ−フック５８を中空第２スピンドル１８及び第２フランジ２８の穴５２に通すことにより、戻り防止案内プーリを使用できるようにする。この場合、タンブラー２０はフリーであり、ロープを拘束できる。ジャマー２１のタンブラー２０の関節連結部にスナップ−フック５８を取り付けることによって、プーリ１０の本体の大きさを小さくすることができる。スナップ−フック５８をタンブラー２０の関節連結スピンドル１８に通した後、第２フランジ２８は閉鎖位置に係止されたままである。タンブラー２０が分離位置にあるときに追加のスナップ−フック５９をタンブラー２０のパドロック開口部５４に挿入すると、アッセンブリは、ジャマーなしの通常のプーリと同様の挙動を示す。タンブラー２０は、開放位置に係止されたままであり、これによって、ジャミング面２６はロープ５６から永久的に離された状態にある。
【００２４】
図１１は、ロープ５６に沿って登るための追加のジャマーとしての、プーリ１０の別の用途を示す。タンブラー２０のスピンドル１８には重量Ｐが加えられており、ロープ５６はローラー１６とジャミング面２６との間に通してある。
【００２５】
図１２は、プーリ１０が出発点Ａとこれよりも低い到着点Ｂとの間をロープ５６に沿って移動する単方向性チロリアンリフトの用途を示す。ロープ５６はローラー１６の下に通してあり、重量Ｍがタンブラー２０の第２スピンドル１８にフック掛けしてある。
【００２６】
特に牽引、レスキュー作動、及びロープに沿った前進といった他の用途が可能である。
【００２７】
図１３及び図１４では、係止タンブラー２０には、タンブラー２０のスピンドル６２に関節連結されたアングル状作動レバー６０が設けられている。レバー６０は、スピンドル６２と直角に曲がった中間ゾーン６０ｂとの間に配置された第１アーム６０ａ、及び把持部分として役立つ第２アーム６０ｃを有する。第１アーム６０ａは、フランジ１２、２８の上部分に設けられた支持面６４と協働し、タンブラー２０をジャミング面２６がロープ５６と接触しない開放位置（図１３参照）に位置決めするように設計されている。
【００２８】
戻しばね５５の作用でタンブラー２０を作動位置に自動的に移動するためには、第２アーム６０ｃを係止解除方向ＤＶ（図１４参照）に揺動させるだけでよい。
【図面の簡単な説明】
【図１】可動フランジが閉鎖位置にある、本発明によるプーリの斜視図である。
【図２】図１のプーリの分解斜視図である。
【図３】図１のプーリの垂直断面図である。
【図４】可動フランジを開放位置に揺動させた後の図１のプーリの斜視図である。
【図５】ロープをローラーの溝に挿入するための非作用非係止位置にジャマーのタンブラーを移動した後の斜視図である。
【図６】ロープを挿入した後の図１のプーリの斜視図である。この図には可動フランジは示してない。
【図７】可動フランジの閉鎖工程を示す図１のプーリの側面図である。
【図８】可動フランジの閉鎖工程を示す図１のプーリの側面図である。
【図９】可動フランジの閉鎖工程を示す図１のプーリの側面図である。
【図１０】プーリを戻り防止案内プーリとして使用する態様、又は追加のスナップ−フックによってタンブラーを非作用非係止位置（破線で示す）にパドロックした後のジャマーを持たない単なるプーリとして使用する態様の２つの使用態様を示す概略図である。
【図１１】ロープに沿って登るための追加のジャマーとしてのプーリの別の用途を示す図である。
【図１２】単方向性チロリアンリフトの用途でのプーリの別の用途を示す図である。
【図１３】タンブラーを非作用開放位置に位置決めするように設計された作動レバーを備えた、プーリの変形例を示す図である。
【図１４】レバーを係止解除し、タンブラーを作用位置に移動したときの、図１３と同様の図である。
【符号の説明】
１０  プーリ
１２  第１固定フランジ
１４  第１スピンドル
１６  回転ローラー
１８  第２スピンドル
２０  係止タンブラー
２１  組み込み式ジャマー
２２  自己給油形ベアリング
２４  環状溝
２６  ジャミング面
２８  第２可動フランジ
３０  肩部
３２  可撓性Ｏ−リングシール
３４  環状溝
３６  外部ワッシャ
３８  棘状保持手段
４０  中央スリット
４１  横方向空間
４２  端部
４４  反対端
４６  ストップ
４８  係合縁部
４９  環状係合縁部
５０  内部オリフィス
５２  穴
５４  パドロック開口部
５５  戻しばね
５６  ロープ
【図１】
0003961067.tif 000002
【図２】
0003961067.tif 000003
【図３】
0003961067.tif 000004
【図４】
0003961067.tif 000005
【図５】
0003961067.tif 000006
【図６】
0003961067.tif 000007
【図７】
0003961067.tif 000008
【図８】
0003961067.tif 000009
【図９】
0003961067.tif 000010
【図１０】
0003961067.tif 000011
【図１１】
0003961067.tif 000012
【図１２】
0003961067.tif 000013
【図１３】
0003961067.tif 000014
【図１４】
0003961067.tif 000015